(57)【要約】  【課題】配電盤遮断器を操作しなくてもリセットでき、また、リモコンに独立したリセット用スイッチを設けなくてもリセット操作が行えるリモコンを備えた機能装置の提供。  【解決手段】本発明の機能装置（噴流浴槽）１は、稼働中にエラーが発生した状態で、リセット処理を行うとエラーをクリアして初期状態に復帰するように構成された制御部６と、前記制御部６の通常機能（電源のオン／オフ）を制御するための電源操作ボタン８１を備えたリモコン部８を備え、前記操作ボタン８１を前記設定時間以上の長時間操作すると前記制御部６をリセット処理する。【選択図】      図３
2007195793.tif 000002
【特許請求の範囲】
【請求項１】
稼働中にエラーが発生した状態で、リセット処理を行うとエラーをクリアして初期状態に復帰するように構成された制御部と、前記制御部の通常機能を制御するための操作ボタンを備えたリモコン部とを備えた機能装置において、
前記操作ボタンを所定の設定時間未満の短時間だけ操作すると前記制御部の通常機能を制御し、前記操作ボタンを前記設定時間以上の長時間操作すると前記制御部をリセット処理するように構成されたリセット制御手段を備えたことを特徴とする機能装置。
【請求項２】
操作ボタンは、前記制御部の電源をオン／オフ操作するという通常機能を制御するための操作ボタンであることを特徴とする請求項１に記載の機能装置。
【請求項３】
制御部は、噴流浴槽への噴流を供給するポンプを制御する手段を含んでいることを特徴とする請求項１、２の何れか１項に記載の機能装置。
【発明の詳細な説明】
【技術分野】
【０００１】
本発明は、操作ボタンを備えた機能装置において、リセット機能を実現する技術に関するものである。
【背景技術】
【０００２】
従来の噴流浴槽としては、特許文献１（特開平11-032931）などに気泡噴出装置付浴槽が開示されている。
この気泡噴出装置付浴槽１は、図１に示すように、浴槽２の側壁２１に噴出口部３と吸入口部４とが設けられ、該噴出口部３と吸入口部４とが連結パイプ５１で接続され、該連結パイプ５１には循環ポンプ５が取り付けられている。循環ポンプ５の作動によって、吸入口部４から吸入された温水は噴出口部３から噴流として、循環流れが発生するように構成されている。
そして、前記循環ポンプ５を制御するためにマイコンを搭載した制御部と、この制御部を介して前記循環ポンプ５のオン／オフなどを制御するためのリモコンを備えているものがある。
【０００３】
【特許文献１】特開平11-032931号公報（段落番号００２、図４などを参照。）
【発明の開示】
【発明が解決しようとする課題】
【０００４】
最近の電子機器の発達・普及に伴い、それぞれの出す雑音電波（ノイズ）は膨大な量にのぼっている。特に、トラック等からの違法無線のノイズ等は、各マイコン搭載電子機器に悪影響を与えている。
マイコンを搭載した電子機器の場合、それらのノイズにより機器の誤動作や運転停止等の悪影響が出て、例えば、異常動作や制御不能の状態におちいることがある。
そのような状態におちいった場合には、前記リモコンにリセット用スイッチが設けられている場合には、そのリセット用スイッチを押して復帰させたり、リセット用スイッチが設けられていない場合には、当該制御部へ電源を供給している配電盤遮断器（ブレーカー）の入り切り操作を行い、前記制御部のマイコンを強制的に再起動させてリセットさせることなどが行われていた。
しかし、配電盤遮断器の操作によるリセットの場合、感電等の危険性が有る。また、リセット対象の制御部がどの遮断器に接続されているのか判明しない場合が有り、他の遮断器を切って混乱したりする危険性もある。
一方、リモコンにリセット用スイッチを設けることは、回路構成が複雑になり、リモコン用ケーブル心数が増える場合や、リモコン用スイッチを設けるためのコストアップなどの問題がある。
【０００５】
そこで、本発明は、配電盤遮断器を操作しなくてもリセットでき、また、リモコンに独立したリセット用スイッチを設けなくてもリセット操作が行えるリモコンを備えた噴流浴槽の提供を目的としてなされたものである。
【課題を解決するための手段】
【０００６】
本発明にかかる機能装置の請求項１では、稼働中にエラーが発生した状態で、リセット処理を行うとエラーをクリアして初期状態に復帰するように構成された制御部と、前記制御部の通常機能を制御するための操作ボタンを備えたリモコン部とを備えた機能装置において、
前記操作ボタンを所定の設定時間未満の短時間だけ操作すると前記制御部の通常機能を制御し、前記操作ボタンを前記設定時間以上の長時間操作すると前記制御部をリセット処理するように構成されたリセット制御手段を備えている。
請求項２では、操作ボタンは、前記制御部の電源をオン／オフ操作するという通常機能を制御するための操作ボタンである。
請求項３では、制御部は、噴流浴槽への噴流を供給するポンプを制御する手段を含んでいる。
【発明の効果】
【０００７】
本発明にかかる機能装置によれば、通常機能を制御するための操作ボタンを所定の設定時間未満の短時間だけ操作すると前記制御部の通常機能を制御し、前記操作ボタンを前記設定時間以上の長時間操作すると前記制御部をリセット処理するように構成したので、
リセット処理のために、操作ボタンを増やしたり、配線数を増やしたりする必要がないので、経済的である。また、ユーザが配電盤遮断器を操作する必要がないので、安全でありかつ簡単にリセット処理できる。
そして、噴流浴槽におけるリモコン装置に本発明を適用することによって、ノイズなどによってエラーが発生して、正常な動作を行わなくなった状態でも、簡単な操作でリセット処理が可能になり、正常な状態に復帰させることができる。
【発明を実施するための最良の形態】
【０００８】
以下に、本発明にかかる機能装置を、その実施の形態を示した図面に基づいて詳細に説明する。
図１において、
１は機能装置としての噴流浴槽であり、この噴流浴槽１の浴槽２の側壁２１には、噴出口部３と吸入口部４とが設けられ、該噴出口部３と吸入口部４とが連結パイプ５１で接続され、該連結パイプ５１には循環ポンプ５が取り付けられている。そして、循環ポンプ５の作動によって、吸入口部４から吸入された温水は噴出口部３から噴流として浴槽２に噴出されるように構成されている。
なお、気泡入りの温水を噴出させる場合には、空気取入部５５から取り入れた空気を、空気吸入管５２を介して前記噴出口部３に形成された空気吸入孔３６まで導いて、前記温水と混合して噴出口部３より噴射する。
【０００９】
要部のブロック図を示した図２において、
６は制御部であり、浴槽２の水位を検出する水位センサ７と、前記循環ポンプ５の運転を制御するポンプ制御回路５３と、リモコン装置８とが接続されている。
前記噴出口部３、吸入口部４、循環ポンプ５、制御部６、および水位センサ７によって、噴流発生部９を構成している。
【００１０】
リモコン装置８の操作パネル面を示した図３において、
８１は電源操作ボタンであり、この電源操作ボタン８１を所定の設定時間（例えば５秒間）以内の短時間だけ連続して操作すると前記噴流発生部９の電源をオン／オフ操作する機能が通常機能として設定され、前記電源操作ボタン８１を前記設定時間以上の長時間連続して操作すると前記制御部６をリセット処理するリセット手段としてのリセット機能が、前記制御部６のマイクロコンピュータのメモリ領域に、動作可能なプログラムとして保存されている。
このプログラムの概略のフローチャートを図４に示した。
【００１１】
なお、８２は強さ操作ボタンであり、噴流の強さを強弱変更する機能が設定されている。８３は機能操作ボタンであり、噴流を間欠噴流とするか、ゆらぎ噴流とするかを切り換える機能が設定されている。
【００１２】
以上の構成の噴流浴槽１の主な動作を、図２、３、４を参照しながら以下において説明する。
前記リモコン装置８の電源操作ボタン８１を押して操作すると、フローチャートのステップＳ１において、操作されたことを感知してステップＳ２に進んで押し時間カウンタによるカウント処理を開始する。ステップＳ３においては、前記カウント処理によって、前記電源操作ボタン８１が押された時間が前記設定時間以内であるか否かを判別し、前記設定時間未満の場合にはステップＳ５へ進むが、前記設定時間以上の場合にはステップＳ４へ進む。
【００１３】
ステップＳ４においては、前記制御部６のリセット処理を行い、前記制御部６の動作を初期状態に復帰させて、ステップＳ５へ進む。このとき、エラーが発生していた場合にはエラーはクリアされる。
【００１４】
前記電源操作ボタン８１が押されず操作されていない場合には、ステップＳ１からステップＳ６へ進み、ステップＳ６においては、エラーによるアラームが出力中であるか否かをチェックする。
ステップＳ６において、エラーによるアラームが出力中であると判定された場合には、ステップＳ５へ進むが、アラームが出力中でない場合にはステップＳ７へ進む。
【００１５】
ステップＳ７においては、押し時間カウンタにカウント処理された押し時間が残存しているか否かをチェックして、残存していない場合には、ステップＳ５へ進むが、残存している場合にはステップＳ８へ進む。
ステップＳ８では、押し時間カウンタの残存データを０にリセットしてステップＳ９へ進む。
ステップＳ９では、通常機能として電源のオン／オフ処理を行う。
ステップＳ５では、続いて別の所定の処理を行う。
【００１６】
以上のように、通常機能として電源のオン／オフ処理が割り当てられた電源操作ボタン８１を、所定時間以上押し続けることによって、前記制御部６をリセット処理することができるので、ノイズなどによってエラーが発生して、制御部６がリモコン装置８からの通常の操作を受け付けないような状態になっても、制御部６をリセットして正常な状態に復帰させることができる。
このようなリセット機能を実現するのに、リモコン装置８に別途リセットスイッチを設けたり、リモコン装置８と制御部６との配線の数を増やしたりする必要がないので、余分なコストがかからないという効果がある。
このようなリセット機能は、制御部６やリモコン装置８の基板や部品は同じもので、プログラムの変更だけで、追加して実現できるので経済的である。
【００１７】
ノイズなどによってアラームが出た場合、従来は各サービスマンがユーザ宅へ出張して、説明し配電盤遮断器の復帰等行っていたが、本発明により、サービスマンがユーザに電話で操作方法を説明することで、ユーザ自身がリセット処理を安全かつ簡単に行うことができるという効果が得られる。
また、このようなリセット操作方法は、取扱説明書に明記すれば、サービス依頼の回数が減少できる。
そして、従来は配電盤遮断器の操作が必要なリセット処理を、通常機能が割り当てられた操作ボタンを長時間押し続けるという特殊な操作をするだけで実現できるので、操作しにくい場所に設置された配電盤遮断器を操作するという、一般ユーザには危険な操作を必要としないという効果も得られる。
【実施例１】
【００１８】
実施例では前記電源操作ボタンの機能を切り換える所定時間を５秒間としたが、通常機能としての操作時間と混同しない程度の時間、例えば３〜１０秒間が適当である。
なお、本発明は、リモコン装置にリセット機能が付いている装置でも、リモコン装置にリセット専用ボタンを搭載していない装置でも採用可能である。
前記リモコン装置内に図４と同様の機能を実現するプログラムを内蔵してもよい。また、浴槽全体の制御部（図示せず。）用のリモコン装置に図４と同様の機能を実現するプログラムを内蔵してもよい。
【産業上の利用可能性】
【００１９】
本発明は、噴流浴槽に限らず、種々のコンピュータ利用機器に応用することができる。
【図面の簡単な説明】
【００２０】
【図１】本発明にかかる機能装置としての噴流浴槽の構成図である。
【図２】前記噴流浴槽の要部のブロック図である。
【図３】前記噴流浴槽のリモコン装置の操作パネルの正面図である。
【図４】前記噴流浴槽の動作の要部を説明するフローチャートである。
【符号の説明】
【００２１】
１  機能装置
２  浴槽
３  噴出口部
４  吸入口部
５  循環ポンプ
６  制御部
７  水位センサ
８  リモコン装置
９  噴流発生部
８１  電源操作ボタン
【図１】
2007195793.tif 000003
【図２】
2007195793.tif 000004
【図３】
2007195793.tif 000005
【図４】
2007195793.tif 000006